(57)【要約】【課題】省電力モード中など受信体制が整っていない場合の着信においても外部電話機が設定された着信回数を超えて鳴動しないファクシミリ装置を提供する。【解決手段】省電力モード中に電話回線３から呼出信号が到来すると、外部電話機切離制御装置３０は、呼出信号のオン期間に対応するパルス信号を切離信号３３として生成し、リレースイッチ３１は、切離信号３３の出力中、接点を開成して外部電話機４を電話回線３から切り離す。これにより、外部電話機４の鳴動が阻止される。この間に本体制御部１１は省電力モードからの復帰動作を行ない、復帰動作が終了して受信体制が整うと、外部電話機切離制御装置３０による切り離し動作を停止させて外部電話機４を鳴動させる。設定された着信回数の鳴動後にＣＭＬリレー１５をファクシミリ通信部１３側に切り替えて直流ループを形成し、受信動作を開始する。【選択図】図１
2006080851.tif 000002
【特許請求の範囲】
【請求項１】
電話回線から呼出信号が到来しているか否かを検出する検出回路と、
前記検出回路が呼出信号の到来を検出している間、外部電話機を前記電話回線から切り離すスイッチと
を有する
ことを特徴とする外部電話機切離制御装置。
【請求項２】
電話回線から呼出信号が到来したとき、前記呼出信号が継続する期間は持続するパルス信号を出力するパルス発生回路と、
前記パルス信号が出力されている間、外部電話機を前記電話回線から切り離すスイッチと
を有する
ことを特徴とする外部電話機切離制御装置。
【請求項３】
前記パルス信号が終了したとき、第２パルス信号を出力する第２パルス発生回路と、
前記第２パルス信号が出力されている間、前記パルス信号発生回路によるパルス信号の発生を阻止する阻止回路と
を有する
ことを特徴とする請求項２に記載の外部電話機切離制御装置。
【請求項４】
前記パルス発生回路は、リトリガ方式のパルス発生回路であって、１回のトリガで発生するパルス信号の長さが、交流の前記呼出信号によって前記パルス発生回路が再トリガされる周期より長い
ことを特徴とする請求項２または３に記載の外部電話機切離制御装置。
【請求項５】
呼出信号の到来に基づいて前記スイッチの開閉が制御される能動状態と、呼出信号の到来にかかわらず前記スイッチの閉成が維持される停止状態とに当該外部電話機切離制御装置の動作状態を外部からの制御信号に基づいて切り替える切替手段を有する
ことを特徴とする請求項１、２、３または４に記載の外部電話機切離制御装置。
【請求項６】
外部電話機の接続されるファクシミリ装置において、
請求項５に記載の外部電話機切離制御装置を備え、
当該ファクシミリ装置の本体が省電力モード中は、前記外部電話機切離制御装置を前記能動状態にし、
省電力モード中に電話回線からの呼出信号を検出したとき、省電力モードからの復帰動作を開始し、ファクシミリ受信の可能な状態になったとき前記外部電話機切離制御装置を前記停止状態にし、外部電話機を設定された着信回数鳴動させた後に、電話回線を外部電話機側から本体側に切り替える
ことを特徴とするファクシミリ装置。
【発明の詳細な説明】
【技術分野】
【０００１】
本発明は、受信装置の本体に接続される外部電話機と電話回線との接続／切り離しを制御する外部電話機切離制御装置およびこれを有するファクシミリ装置に関する。
【背景技術】
【０００２】
従来のファクシミリ装置は、図１１に示すような回路を備え、電話回線２０１の接続先をＣＭＬリレー２０２によって外部電話機２０３とファクシミリ通信部２０４とに切り替えるようになっている。ファクシミリ通信を行なっていない通常状態では電話回線２０１に外部電話機２０３が接続されている。
【０００３】
電話回線２０１から着信があったとき、ＣＭＬリレー２０２の切り替え制御は図１２に示すシーケンスで行なわれる。交換機側から呼出信号が送られてくると、電話回線に接続されている外部電話機が呼出信号にあわせて鳴動し、ユーザに対して着信が通知される。このとき同時にファクシミリ制御部２０６は着信検知部２０５を通じて呼出信号を検出し、予め設定された回数の呼出信号を検出したとき（図１２では、２回）本体制御部２０７に着信検知を通知する。
【０００４】
この通知を受けた本体制御部２０７は、紙無しやメモリフルなどの障害が無く、装置全体がファクシミリ受信の可能な状態か否かを調べ、受信可能であれば、受信動作を起動し、オフフック要求（着信許可）をファクシミリ制御部２０６に通知する。オフフック要求を受けたファクシミリ制御部２０６は、電話回線２０１がファクシミリ通信部２０４側に接続されるようにＣＭＬリレー２０２を切り替えて、ファクシミリの受信動作を実行する。この切り替えにより外部電話機２０３の鳴動が停止する。
【０００５】
一方、本体制御部２０７は、紙無しやメモリフルなどにより受信不可と判断した場合には、オフフック要求（着信許可）をファクシミリ制御部２０６に通知しない。その結果、電話回線は外部電話機２０３に接続されたままの状態になり、交換機側からの呼出信号に応じて外部電話機２０３が鳴動し続けて、静粛性が阻害される。
【０００６】
そこで、呼出信号を検出したときにファクシミリ装置側の受信体制が整っているか否かを判定し、受信体制が整っていない場合には電話回線をファクシミリ装置側に切り替えて外部電話機を切り離し、かつ直流ループが形成されないように電話回線の一部をリレーで開放するように構成したファクシミリ装置が開示されている（たとえば、特許文献１参照。）。
【０００７】
【特許文献１】特開平７−２２１９５４号公報
【発明の開示】
【発明が解決しようとする課題】
【０００８】
近年のファクシミリ装置は、消費電力節減の観点や省電力に関わる法規の制定により、待機中になると、着信検知に係わる部分を除いて、省電力モードに切り替えるようになっている。省電力モード中に着信があると、本体制御部は、省電力モードから復帰するための初期化シーケンスを開始し、この初期化シーケンスが完了して受信体制が整った段階でファクシミリ制御部に着信許可を通知するようになっている。
【０００９】
このため、本体制御部の初期化シーケンスに要する時間が、ユーザの設定した着信回数に相当する時間以上になると、外部電話機が予定の回数を超えて鳴動してしまい、ユーザに不可解な印象を与えたり、執務環境の静粛性を必要以上に阻害したりしてしまうという問題があった。
【００１０】
図１３に示す例では、設定された２回の鳴動後に省電力モードからの復帰動作２１１を本体制御部が開始した結果、本体制御部からファクシミリ制御部へのオフフック要求（着信許可）の出力が、３回目の呼出信号より遅れてしまい、ユーザの設定した着信回数を超えて外部電話機が鳴動している。
【００１１】
本発明は、上記の問題を解決しようとするものであり、省電力モード中など受信体制が整っていない場合の着信においても外部電話機が設定された着信回数を超えて鳴動することのない外部電話機切離制御装置およびこれを用いたファクシミリ装置を提供することを目的としている。
【課題を解決するための手段】
【００１２】
請求項１に係わる発明は、電話回線から呼出信号が到来しているか否かを検出する検出回路と、
前記検出回路が呼出信号の到来を検出している間、外部電話機を前記電話回線から切り離すスイッチと
を有する
ことを特徴とする外部電話機切離制御装置である。
【００１３】
上記発明によれば、電話回線から呼出信号が到来している間、外部電話機が電話回線から切り離される。この切り離しにより、呼出信号による外部電話機の鳴動が停止する。呼出信号が到来していないときは、外部電話機は電話回線から切り離されず、外部電話機からの発呼が可能になっている。
【００１４】
検出回路は、リアルタイムで呼出信号の到来有無を逐次検知するもの、若しくは呼出信号のオン期間の始めと終わりを検出するものがよい。これらの場合、検出回路の検知結果に従ってスイッチの開閉を行なえばよい。検出回路が呼出信号の始めのみを検出するものの場合には、呼出信号の継続期間の長さが既知であれば、スイッチをオフからオンに戻すまでの時間を前記した既知の時間に合わせて設定すればよい。
【００１５】
請求項２に係わる発明は、電話回線から呼出信号が到来したとき、前記呼出信号が継続する期間は持続するパルス信号を出力するパルス発生回路と、
前記パルス信号が出力されている間、外部電話機を前記電話回線から切り離すスイッチと
を有する
ことを特徴とする外部電話機切離制御装置である。
【００１６】
上記発明によれば、呼出信号の到来を契機に、呼出信号の継続期間（オン期間）は持続するパルス信号が出力され、このパルス信号の出力期間中、外部電話機が電話回線から切り離され、外部電話機の鳴動が阻止される。呼出信号の継続期間が既知の場合は、これに合わせてパルス信号の持続時間を予め固定的に設定してもよい。また、呼出信号の終了を検出してパルス信号が終了するように構成してもよい。
【００１７】
請求項３に係わる発明は、前記パルス信号が終了したとき、第２パルス信号を出力する第２パルス発生回路と、
前記第２パルス信号が出力されている間、前記パルス信号発生回路によるパルス信号の発生を阻止する阻止回路と
を有する
ことを特徴とする請求項２に記載の外部電話機切離制御装置である。
【００１８】
上記発明によれば、パルス信号の終わりを契機に第２パルス信号が発生し、この第２パルス信号の発生中は、パルス信号発生回路によるパルス信号の発生が阻止される。パルス信号の発生を阻止する方法には、パルス信号発生回路自体の動作停止、呼出信号の到来検出動作の停止、パルス信号発生回路へのトリガ信号の入力阻止などがある。
【００１９】
外部電話機をオフフックすると交換機からの直流供給電圧が変化し、この変化を呼出信号と誤認してパルス発生回路がパルス信号を生成する場合がある。このパルス信号により外部電話機は、一旦、電話回線から切り離され、パルス信号が終了してスイッチが閉成すると再び電話回線に接続される。オフフックされた状態の外部電話機がスイッチの閉成によって電話回線に再接続されると、最初にオフフックしたときと同様に電話回線の電圧が変化してしまい、この変化を呼出信号と誤認してパルス発生回路がパルス信号を生成し、外部電話機が電話回線から再び切り離されてしまう。このような事象の繰り返しにより、電話回線から外部電話機が切り離された状態が継続し、外部電話機からの発呼ができなくなってしまう。第２パルス発生回路および阻止回路は、パルス信号の終端から所定の期間にわたってパルス信号発生回路によるパルスの発生を阻止するので、上記した動作の反復を断ち切る作用を果たす。
【００２０】
請求項４に係わる発明は、前記パルス発生回路は、リトリガ方式のパルス発生回路であって、１回のトリガで発生するパルス信号の長さが、交流の前記呼出信号によって前記パルス発生回路が再トリガされる周期より長い
ことを特徴とする請求項２または３に記載の外部電話機切離制御装置である。
【００２１】
上記発明によれば、呼出信号は、たとえば日本では１６Ｈｚの交流信号が使用されており、この交流の呼出信号の立ち上がりおよび／または立ち下がり毎にパルス発生回路が再トリガされる。そして、１回のトリガで発生するパルス信号の長さが、呼出信号によってパルス発生回路が再トリガされる周期より長く設定されるので、呼出信号が継続している間、パルス信号は途切れのない１つのパルス信号として出力される。また、呼出信号の継続時間に追従してパルス信号の長さが自動的に変化する。
【００２２】
交流の呼出信号によってパルス発生回路が再トリガされる周期は、呼出信号の立ち上がりと立ち下がりのいずれか一方をトリガ条件としている場合には呼出信号の周期と等しくなり、立ち上がりと立ち下がりの双方をトリガ条件にした場合には、呼出信号の周期の半分の時間と等しくなる。
【００２３】
請求項５に係わる発明は、呼出信号の到来に基づいて前記スイッチの開閉が制御される能動状態と、呼出信号の到来にかかわらず前記スイッチの閉成が維持される停止状態とに当該外部電話機切離制御装置の動作状態を外部からの制御信号に基づいて切り替える切替手段を有する
ことを特徴とする請求項１、２、３または４に記載の外部電話機切離制御装置である。
【００２４】
上記発明によれば、パルス信号の到来に基づいてスイッチの開閉を制御する能動状態と、呼出信号の到来にかかわらずスイッチの閉成を維持する停止状態とに外部電話機切離制御装置の動作状態が外部からの制御信号に基づいて切り替えられる。能動状態では、呼出信号が到来しても外部電話機は鳴動せず、停止状態では、ＣＭＬリレーなどによって他の箇所で外部電話機が電話回線から切り離されていない限り、呼出信号に応じて外部電話機が鳴動する。
【００２５】
請求項６に係わる発明は、外部電話機の接続されるファクシミリ装置において、
請求項５に記載の外部電話機切離制御装置を備え、
当該ファクシミリ装置の本体が省電力モード中は、前記外部電話機切離制御装置を前記能動状態にし、
省電力モード中に電話回線からの呼出信号を検出したとき、省電力モードからの復帰動作を開始し、ファクシミリ受信の可能な状態になったとき前記外部電話機切離制御装置を前記停止状態にし、外部電話機を設定された着信回数鳴動させた後に、電話回線を外部電話機側から本体側に切り替える
ことを特徴とするファクシミリ装置である。
【００２６】
上記発明によれば、省電力モード中は、呼出信号が到来しても外部電話機は鳴動せず、呼出信号を契機に開始した省電力モードからの復帰動作が完了してファクシミリ受信の可能な状態になると、外部電話機の鳴動が開始する。設定された着信回数の鳴動後、電話回線が外部電話機側からファクシミリ装置の本体側に切り替えられて外部電話機の鳴動が停止し、ファクシミリ受信動作が開始する。すなわち、省電力モードからの復帰に長い時間を要する場合でも、ユーザの設定した着信回数が遵守される。
【００２７】
省電力モードとは、ファクシミリ装置本体の電源をオフしたり、操作表示部の表示を消したり、ＣＰＵを割り込みのみ検出可能でその他の機能を休止させた状態にしたり、プリンタ部を休止させたりするなど、通常の状態に比べて電力消費が少なくなるように機能や動作を制限した状態をいう。省電力モードでも、外部電話機切離制御装置や着信検知に係わる回路部分は稼動するように構成される。
【発明の効果】
【００２８】
本発明に係わる外部電話機切離制御装置およびこれを用いたファクシミリ装置によれば、呼出信号による外部電話機の鳴動を停止しつつ、呼出信号が到来していないときは外部電話機を通常通り使用することができる。また、外部電話機切離制御装置をハードウェアのみで構成したので、ファクシミリ装置などの本体側が省電力モード中に着信があっても、外部電話機の鳴動を停止させることができる。
【００２９】
呼出信号の到来を契機にパルス信号を生成し、このパルス信号の出力期間中、外部電話機を電話回線から切り離すように構成したものでは、簡易な回路構成で外部電話機の鳴動を停止させることができる。
【００３０】
さらに、パルス信号の終わりを契機に第２パルス信号を生成し、第２パルス信号の出力期間中、外部電話機を切り離すためのパルス信号の発生を阻止するように構成したものでは、ユーザが外部電話機のオフフックした場合に外部電話機が連続して切り離された状態になる不具合の発生が防止され、外部電話機から正常に発呼することができる。
【００３１】
パルス発生回路をリトリガ方式とし、１回のトリガで発生するパルス信号の長さを交流の呼出信号によってパルス発生回路が再トリガされる周期より長くしたものでは、呼出信号の長さにパルス信号の継続時間が自動的に追従する。これにより、呼出信号の長さが仕向け地によって様々であっても、個別に対応することなく外部電話機の鳴動を的確に停止させることができる。
【００３２】
呼出信号が到来したとき外部電話機を切り離して鳴動させない能動状態と、外部電話機の切り離しを行なわない停止状態とを制御信号によって切り替え可能に構成したものでは、受信装置本体側の事情に応じて外部電話機を鳴動させるか否かを選択することができる。
【００３３】
省電力モード中は、外部電話機切離制御装置を外部電話機が鳴動しない能動状態に設定しておき、省電力モード中に呼出信号が到来したら省電力モードからの復帰動作を開始し、ファクシミリ受信の可能な状態になったとき、外部電話機切離制御装置を外部電話機が鳴動する停止状態にし、設定された着信回数の鳴動後に、電話回線を外部電話機側から本体側に切り替えるように構成したファクシミリ装置では、受信体制の整っていない省電力モード中に着信があっても、外部電話機が設定された着信回数を超えて鳴動することが防止され、ユーザに不可解な印象を与えたり、執務環境の静粛性を必要以上に阻害したりすることが回避される。
【発明を実施するための最良の形態】
【００３４】
以下、図面に基づき本発明の実施の形態を説明する。
【００３５】
図１は、本発明の実施の形態に係わる外部電話機切離制御装置３０を備えたファクシミリ装置１０の概略構成を示している。ファクシミリ装置１０は、本体制御部１１と、ファクシミリ制御部１２と、ファクシミリ通信部１３と、着信検知部１４と、外部電話機切離制御装置３０と、ＣＭＬリレー１５と、電流検知部１６とを備えている。外部電話機切離制御装置３０は、リレースイッチ３１と外部電話機切離制御回路３２とから構成される。
【００３６】
ファクシミリ装置１０には交換機２からの電話回線３と、外部電話機４とが接続されている。電話回線３は、接続端子などで構成された接続点２１を介してＣＭＬリレー１５に接続されている。外部電話機４は、もう１つの接続点２２を介してＣＭＬリレー１５に接続されている。ＣＭＬリレー１５にはファクシミリ通信部１３が接続されており、ＣＭＬリレー１５は、電話回線３の接続をファクシミリ通信部１３と外部電話機４とに切り替える機能を果たす。
【００３７】
本体制御部１１は、ファクシミリ装置１０の動作を統括制御する回路であり、図示省略のＣＰＵ（中央処理装置）とＲＯＭ（リード・オンリ・メモリ）とＲＡＭ（ランダム・アクセス・メモリ）とを主要部として構成される。本体制御部１１には、原稿画像を読み取る図示省略の読取部、記録紙上に画像データに対応する画像を形成して出力する図示省略のプリンタ部、ユーザに各種の案内情報や装置の動作状態を表示したりユーザから各種の入力操作を受け付けたりする図示省略の操作表示部などが接続されている。
【００３８】
また、本体制御部１１には、ファクシミリ制御部１２とファクシミリ通信部１３とが接続されている。ファクシミリ通信部１３は、ファクシミリ送受信に係わるプロトコル制御などを行ない、ファクシミリ制御部１２は、ＣＭＬリレー１５を制御して電話回線３の接続先を切り替える処理などを行なう回路部分である。
【００３９】
接続点２１とＣＭＬリレー１５との間には、電流検知部１６が電話回線３に直列に介挿されている。電流検知部１６は、電話回線３が閉成されて直流ループが形成されたことを検出する機能を果たす。
【００４０】
接続点２２とＣＭＬリレー１５との間には、交換機２から到来する呼出信号を検出する着信検知部１４が、外部電話機４とＣＭＬリレー１５とを結ぶ２線に並列に接続されている。外部電話機４とＣＭＬリレー１５とを結ぶ２線のうちの一方のラインには、着信検知部１４の接続箇所より接続点２２側の位置において当該ラインを短絡状態と切断状態とに切り替えるリレースイッチ３１が介挿されている。リレースイッチ３１には、外部電話機切離制御回路３２から切離信号３３が入力されている。リレースイッチ３１は、切離信号３３がオンのとき開成（切断状態）し、切離信号３３がオフのとき閉成（短絡状態）する。
【００４１】
ファクシミリ制御部１２には、電流検知部１６から出力される直流ループ形成の検知結果を表わしたループ電流検知信号２３と、着信検知部１４による呼出信号の検出結果を示す着信検知信号２４とが入力される。ＣＭＬリレー１５にはファクシミリ制御部１２の出力するオフフック信号２６が入力される。ＣＭＬリレー１５は、オフフック信号２６がオフのとき電話回線３を外部電話機４に接続した状態になり、オフフック信号２６がオンのとき電話回線３とファクシミリ通信部１３とを接続する状態に切り替わる。外部電話機切離制御回路３２には、ファクシミリ制御部１２から制御信号２５が、着信検知部１４から着信検知信号２４がそれぞれ入力される。
【００４２】
図２は、外部電話機切離制御回路３２の概略構成を示している。外部電話機切離制御回路３２は、エッジ検出回路３４と、第１パルス発生回路３５と、第２パルス発生回路３６と、ＮＡＮＤ回路３７とから構成されている。
【００４３】
エッジ検出回路３４は、微分回路などで構成され、着信検知部１４から入力された着信検知信号２４のエッジ（立ち上がりおよび／または立ち下がり）を検出して正の信号を出力する。エッジ検出回路３４の出力と第２パルス発生回路３６の出力とはＮＡＮＤ回路３７に入力され、ＮＡＮＤ回路３７の出力の立ち下がりはトリガ信号として第１パルス発生回路３５に入力される。第１パルス発生回路３５は、トリガ信号が入力されると正のパルス信号３８を出力する。第１パルス発生回路３５は、パルス信号の出力期間中にトリガ信号が再度入力されると、その時点から新たにパルス信号を発生させた場合と同じ期間だけ、現在出力中のパルス信号の出力期間を延長する、リトリガタイプのパルス発生回路である。
【００４４】
第１パルス発生回路３５が出力するパルス信号３８の終了（立ち下がり）は第２パルス発生回路３６にトリガ信号として入力される。また、パルス信号３８はリレースイッチ３１に与える切離信号３３になっている。第２パルス発生回路３６は、第１パルス発生回路３５からトリガ信号が入力されると負のパルス信号である第２パルス信号３９を出力する。
【００４５】
制御信号２５は、第１パルス発生回路３５と第２パルス発生回路３６とに入力されている。第１パルス発生回路３５と第２パルス発生回路３６とは、パルス信号の発生可能な能動状態と、パルス信号の発生を停止した停止状態とに、制御信号２５によって切り替わる。
【００４６】
第１パルス発生回路３５は、能動状態においてＮＡＮＤ回路３７からトリガ信号が入力されると、電話回線３から到来する交流の呼出信号の周期より長い時間持続するパルス信号を生成する。なお、呼出信号の正負の両波形をエッジ検出回路３４で検知する場合は、第１パルス発生回路３５が生成するパルス信号の長さは呼出信号の周期の半分以上の長さであればよい。たとえば、日本では呼出信号は１６Ｈｚの交流信号であり、その周期は６２．５ｍｓなので、呼出信号の正負の両波形をエッジ検出回路３４で検知する場合には、第１パルス発生回路３５の生成するパルス信号は３１．２５ｍｓ以上の長さを必要とする。実際には、２倍程度の余裕を持たせて、５０ｍｓ〜１００ｍｓに設定される。
【００４７】
第１パルス発生回路３５は、リトリガタイプのパルス発生回路なので、１回のトリガで出力されるパルス信号の長さを上記のように設定することで、電話回線３から交流の呼出信号が到来している間は、第１パルス発生回路３５の出力したパルス信号の継続時間内に第１パルス発生回路３５が再トリガされる。その結果、呼出信号が継続している期間（オン期間）は持続する１つのパルス信号３８が第１パルス発生回路３５から出力される。第１パルス発生回路３５の出力はリレースイッチ３１に与える切離信号３３になっているので、呼出信号のオン期間は、外部電話機４が電話回線３から切り離されて鳴動しない。
【００４８】
呼出信号のオン期間が終了すると、これに伴って第１パルス発生回路３５の出力するパルス信号３８が終了し、この終了（パルス信号３８の立ち下がり）によって第２パルス発生回路３６がトリガされて負のパルス信号である第２パルス信号３９が第２パルス発生回路３６からＮＡＮＤ回路３７へ出力される。第２パルス信号３９の出力期間中は、エッジ検出回路３４の出力がＮＡＮＤ回路３７を通らなくなり、第１パルス発生回路３５へのトリガ信号の入力が禁止される。
【００４９】
第２パルス発生回路３６およびＮＡＮＤ回路３７は、次の理由で設けられている。外部電話機４をオフフックすると交換機２からの直流供給電圧が変化し、この変化をエッジ検出回路３４が強調して第１パルス発生回路３５がトリガされてしまうことがある。第１パルス発生回路３５がパルス信号を出力すると、リレースイッチ３１によって外部電話機４が電話回線３から切り離されるが、呼出信号と違ってリトリガされないので第１パルス発生回路３５のパルス信号は１回のトリガ分の長さで終了する。
【００５０】
第１パルス発生回路３５の出力するパルス信号が終了すると、リレースイッチ３１が閉成して外部電話機４が電話回線３に再び接続される。パルス信号の長さは５０ｍｓ〜１００ｍｓ程度の短時間なので、パルス信号が終了した時点で外部電話機４はオフフックされた状態にあり、この状態の外部電話機４がリレースイッチ３１の閉成によって電話回線３に接続されると、最初にオフフックしたときと同様に交換機２からの直流供給電圧が変化してしまい、この変化により第１パルス発生回路３５が再びトリガされてしまう。
【００５１】
この事象の繰り返しにより、電話回線３と外部電話機４とが切り離された状態が継続し、ユーザは外部電話機４からの発呼動作を行なうことができなくなってしまう。第２パルス発生回路３６およびＮＡＮＤ回路３７は、上記した事象の反復を断ち切る阻止回路としての機能を果たす。すなわち、第２パルス発生回路３６がパルス信号３８の終端から所定の期間にわたって負の第２パルス信号３９をＮＡＮＤ回路３７へ出力することで、第２パルス信号３９の出力期間中は、エッジ検出回路３４の出力が第１パルス発生回路３５のトリガ信号として入力されることが阻止される。このように第２パルス信号３９は、エッジ検出回路３４から第１パルス発生回路３５へのトリガ信号を無効にするマスク信号として機能する。
【００５２】
なお、第２パルス信号３９の長さは、パルス信号３８が終了してから、リレースイッチ３１の閉成による直流供給電圧の変化で第１パルス発生回路３５がトリガされる可能性のある期間よりも長ければよい。実験では約２０ｍｓでトリガされる期間は終了するが、余裕を見てその倍以上の時間が好ましく、ここでは、５０ｍｓ〜１００ｍｓに設定してある。第２パルス信号３９の持続時間は、最長でも、呼出信号のオン期間とオン期間との間（オフ期間）の時間より短く設定する。
【００５３】
待機時にユーザが外部電話機４から発呼するときは、次のような動作になる。ユーザが外部電話機４から発呼動作を行なうために、オフフック動作を行なうと、交換機２からの供給電圧が変化し、着信検知部１４からの出力信号により第１パルス発生回路３５から正のパルス信号が出力される。
【００５４】
しかしながら、第２パルス発生回路３６およびＮＡＮＤ回路３７を設けているので、前記した正のパルス信号の立ち下がりにより第２パルス発生回路３６から負の第２パルス信号３９が出力され、この負の第２パルス信号３９が出力されている間、エッジ検出回路３４を経由してくる着信検知部１４からの出力が無効になるので、２回目以降の着信検知部１４からの出力信号に第１パルス発生回路３５が応答しなくなり、外部電話機４が電話回線３に接続された状態が維持される。その結果、ユーザは外部電話機４から正常に発呼することができる。
【００５５】
実際にはユーザが外部電話機４をオフフックしてから第１パルス発生回路３５が１回のトリガで出力するパルス信号の時間（約５０ｍｓ〜１００ｍｓ）だけは外部電話機４と電話回線３とが接続されていない状態になるが、実使用上の問題はない。
【００５６】
図３は、電流検知部１６および着信検知部１４、外部電話機切離制御回路３２に係わる回路構成をより詳細に示したものである。この回路では第１パルス発生回路３５および第２パルス発生回路３６として汎用の単安定マルチバイブレータ３５ａ、３６ａを使用している。また、リレースイッチ３１としてリレー本体３１ａとリレー駆動回路３１ｂとを有している。
【００５７】
電話回線３の交換機２から呼出信号が入力されると回線間（図中のＡ）に数１０Ｖｒｍｓの交流電圧が印加される。着信検知部１４には、ツェナーダイオード１４ａと、極性を逆に接続した２個のフォトカプラ１４ｂとを使用している。正負各々に所定値以上の交流電圧が入力されるとフォトカプラ１４ｂの出力が駆動される。
【００５８】
なお、この回路において正負両極性の交流電圧を検知するのは、呼出信号が到来してから切離信号３３を出力するまでの応答性をよくするためである。すなわち、正負いずれかの半波検知では、検知しない極性側から呼出信号が始まると、その検知されない半波によって外部電話機４が鳴動する可能性がある。このような鳴動を正負両極性の検知を行なうことで確実に防いでいる。
【００５９】
着信検知用のツェナーダイオード１４ａ、１４ｂからの出力信号（図中のＢとＣ）は、微分回路を用いたエッジ検出回路３４を通して鋭利にパルス化され、さらにＯＲ回路５１で論理和（図中のＤ）を取り、ＮＡＮＤ回路３７を経て反転された信号（図中のＥ）が、第１パルス発生回路３５である単安定マルチバイブレータ３５ａにトリガ信号として入力される。このトリガ信号によって単安定マルチバイブレータ３５ａが出力した正のパルス信号（図中のＦ）は、外部電話機４と電話回線３とを切り離すための切離信号３３としてリレースイッチ３１のリレー駆動回路３１ｂに入力される。
【００６０】
第１パルス発生回路３５としての単安定マルチバイブレータ３５ａが出力する正のパルス信号（図中のＦ）は、第２パルス発生回路３６としての単安定マルチバイブレータ３６ａの立ち下がり側のトリガ端子に入力されている。単安定マルチバイブレータ３５ａが出力する正のパルス信号の立ち下がりでトリガされることにより第２パルス発生回路３６としての単安定マルチバイブレータ３６ａは負のパルス信号（図中のＧ）を生成する。この負のパルス信号はＮＡＮＤ回路３７に入力されている。ＮＡＮＤ回路３７の出力（図中のＥ）は、エッジ検出回路３４の論理和出力（図中のＤ）と単安定マルチバイブレータ３６ａが出力する負のパルス信号（図中のＧ）とのＮＡＮＤ出力になっている。
【００６１】
ファクシミリ制御部１２からの制御信号２５は、単安定マルチバイブレータ３５ａ、３６ａのＣＬＲ端子に入力されている。制御信号２５をローレベルにすると、単安定マルチバイブレータ３５ａ、３６ａの動作が停止してリレー本体３１ａが閉状態に維持される。すなわち、呼出信号の到来にかかわらずリレースイッチ３１の閉成が維持される停止状態になる。一方、制御信号２５をハイレベルにすると、単安定マルチバイブレータ３５ａ、３６ａが動作可能となり、呼出信号の到来に基づいてリレースイッチ３１の開閉が制御される能動状態になる。
【００６２】
図４は、図３の回路における各部の信号波形を示している。日本では、呼出信号（Ａ）は、１６ヘルツの交流信号が１秒間継続するオン期間６１と無信号状態が２秒間継続するオフ期間６２とが交互に現われる信号である。なお、図４では、オフ期間６２を実際より短く示してある。
【００６３】
図中のＲＩＮＧ検知１は、着信検知部１４をなすツェナーダイオード１４ａの出力信号（Ｂ）であり、呼出信号（Ａ）の正の半周期に対応して出力される。図中のＲＩＮＧ検知２は、着信検知部１４をなすフォトカプラ１４ｂの出力信号（Ｃ）であり、呼出信号（Ａ）の負の半周期に対応して出力される。図中のＲＩＮＧ検知ＯＲは、上記の出力信号（Ｂ，Ｃ）をそれぞれエッジ検出回路３４で微分した後、論理和を取った信号である。この信号（Ｄ）は、呼出信号の半周期を周期とするパルス列になっている。
【００６４】
第１パルス発生回路３５に入力されるトリガ信号は、ＮＡＮＤ回路３７の出力信号（Ｅ）であり、ＲＩＮＧ信号ＯＲ（Ｄ）を反転した信号になっている。第１パルス発生回路３５はリトリガタイプのパルス発生回路なので、第１パルス発生回路３５の出力（Ｆ）は呼出信号のオン期間６１が終わるまで持続する１つのパルス信号になっている。このパルス信号が出力されている間、外部電話機４が電話回線３から切り離されるので、呼出信号が到来しても外部電話機４は鳴動しない。第２パルス発生回路３６は上記のパルス信号（Ｆ）の立ち下がりでトリガされ、約５０ｍｓ〜１００ｍｓの負のパルス信号（Ｇ）を出力する。
【００６５】
図５は、待機時に外部電話機４をオフフックしたときの各部の信号波形を示している。外部電話機４をオフフックすると、交換機２からの供給電圧（Ａ）が一瞬変化し（波形７１）、これに反応して着信検知部１４がＲＩＮＧ検知１のパルス信号７２を出力し、この信号７２に対応するトリガ信号７３によって第１パルス発生回路３５が、１回のトリガに対応する長さのパルス信号７４を出力している。このパルス信号７４の出力期間中は外部電話機４が電話回線３から切り離されており、パルス信号７４が終わると外部電話機４が電話回線３に接続され、交換機からの供給電圧が変化する（波形７５の立ち上がり）。この変化に反応して着信検知部１４がＲＩＮＧ検知２のパルス信号７６を出力する。しかしながら、パルス信号７６に対応するトリガ信号７８は、パルス信号７４の終わりをトリガとして第２パルス発生回路３６から出力されたパルス信号７７によってＮＡＮＤ回路３７でマスクされるので、トリガ信号７８は第１パルス発生回路３５へ入力されず、その後は、外部電話機４が電話回線３に接続された状態が維持される。
【００６６】
図６は、図３の回路に対して第２パルス発生回路３６とＮＡＮＤ回路３７とを設けない回路構成において、外部電話機４をオフフックしたときの各部の信号波形を示している。第１パルス発生回路３５のパルス信号８１が終了して外部電話機４が電話回線３に接続されたときの供給電圧（Ａ）の変化（波形８２）によって生じたトリガ信号８３で第１パルス発生回路３５が再びトリガされるという事象が繰り返し発生している。このため、切離信号３３がほぼ継続して出力され、外部電話機４をオフフックしても外部電話機４が電話回線３に接続されない状態が続き、実質的に外部電話機４を使用して発呼することができなくなっている。図５で示したように、第２パルス発生回路３６とＮＡＮＤ回路３７とを設けた回路では、図６で示すような繰り返しが回避され、外部電話機４からの発呼が可能になっている。
【００６７】
図７は、通常動作モードでのファクシミリ装置１０の動作手順を示している。通常動作モードは、省電力モードに入っていない動作状態である。通常動作モード時に電話回線を通して交換機２より呼出信号が入力されると（Ｓ１）、ファクシミリ制御部１２はユーザが設定した着信回数分の呼出信号の到来をカウントした後に、着信検知コマンドを本体制御部１１に出力する（Ｓ２）。この時、外部電話機４は交換機２からの呼出信号により呼出音が鳴動している。図７では、着信回数が２回に設定されており、ファクシミリ制御部１２は呼出信号を２回カウントした後に着信検知コマンドを本体制御部１１に出力している。
【００６８】
本体制御部１１は、通常動作モード中は既に受信動作可能な状態にあるので、ファクシミリ制御部１２から着信検知コマンドを受けた後、すぐに受信起動し（Ｓ３）、ファクシミリ制御部１２に対してオフフックコマンドを出力する（Ｓ４）。着信検知コマンドを受けてからオフフックコマンドを出力するまでの期間は、交換機２からの呼出信号の周期（１秒オン／２秒オフ）に対して、はるかに短くすることができる。この時、外部電話機４は交換機２からの呼出信号により呼出音が鳴動している。
【００６９】
ファクシミリ制御部１２は、本体制御部１１からオフフックコマンドを受け取った後に、ＣＭＬリレー１５をファクシミリ通信部１３の側に切り替えて電話回線との接続部をオフフックすることにより回線電流のループ状態を形成する（Ｓ５）。その後、ファクシミリ装置１０全体として受信動作が開始される（Ｓ６）。この時点で、交換機からの呼出信号は停止し、外部電話機４の呼出音の鳴動は停止する。
【００７０】
図８は、ファクシミリ装置１０が省電力モードに入っているときの動作手順を示している。省電力モードでは制御信号２５がローレベルになっており、外部電話機切離制御回路３２は、呼出信号の到来に応じて外部電話機４を電話回線３から切り離す動作を実施する能動状態になっている。
【００７１】
省電力モード時に、電話回線を通して交換機２より呼出信号が入力されると（Ｓ１１）、ファクシミリ制御部１２は本体制御部１１に対して省電力復帰要求コマンドを出力する（Ｓ１２）。本体制御部１１は、省電力復帰要求コマンドを受けると省電力モードからの復帰動作を開始する（Ｓ１３）。この時、外部電話機切離制御回路３２による切り離し動作により、外部電話機４は鳴動しない。
【００７２】
本体制御部１１は、省電力モードからの復帰動作を終了した時点で受信動作が可能になったと判断し（Ｓ１４）、ファクシミリ制御部１２に対して着信可コマンドを出力する（Ｓ１５）。ファクシミリ制御部１２は本体制御部１１から着信可コマンドを受け取った後に、制御信号２５をハイレベルに設定して外部電話機切離制御回路３２の動作を停止し、電話回線と外部電話機４とが常時接続される停止状態を形成する（Ｓ１６）。その後は、呼出信号の到来に応じて外部電話機４が鳴動する。図８に示す例では、Ｎ−１回目までの呼出信号に対して外部電話機４は鳴動せず、Ｎ回目から鳴動している。
【００７３】
ファクシミリ制御部１２は、外部電話機切離制御回路３２の動作を停止した後に呼出信号のカウントを開始し、ユーザが設定した着信回数分の呼出信号の到来をカウントしたとき着信検知コマンドを本体制御部１１に出力する（Ｓ１７）。図８では、着信回数が２回に設定されており、ファクシミリ制御部１２は呼出信号を２回（Ｎ回目とＮ＋１回目）カウントした後に着信検知コマンドを本体制御部１１に出力している。
【００７４】
本体制御部１１は、ファクシミリ制御部１２より着信検知コマンドを受け取った後、すぐに受信起動し（Ｓ１８）、ファクシミリ制御部１２に対して、オフフックコマンドを出力する（Ｓ１９）。ファクシミリ制御部１２は本体制御部１１からオフフックコマンドを受け取った後に、ＣＭＬリレー１５をファクシミリ通信部１３の側に切り替えて電話回線との接続部をオフフックすることにより回線電流のループ状態を形成し（Ｓ２０）、所定の受信動作を開始する（Ｓ２１）。
【００７５】
このように、省電力モード中に着信があっても、外部電話機４はユーザの設定した着信回数だけ鳴動する。
【００７６】
図９は、外部電話機切離制御装置３０を設けていないファクシミリ装置が省電力モードに入っているときの動作手順を示している。省電力モード時に電話回線を通して交換機２より呼出信号が入力されると（Ｓ３１）、ファクシミリ制御部１２は本体制御部１１に対して省電力復帰要求コマンドを出力する（Ｓ３２）。本体制御部１１は、省電力復帰要求コマンドを受けると省電力モードからの復帰動作を開始する（Ｓ３３）。この時、外部電話機４は交換機２からの呼出信号により呼出音が鳴動している。
【００７７】
ファクシミリ制御部１２は、ユーザが設定した着信回数分の呼出信号の到来をカウントした後に着信検知コマンドを本体制御部１１に出力する（Ｓ３４）。図９に示す例では、着信回数が２回に設定されており、ファクシミリ制御部１２は呼出信号を２回カウントした後に着信検知コマンドを本体制御部１１に出力している。この時、外部電話機４は交換機２からの呼出信号により呼出音が鳴動している。
【００７８】
本体制御部１１は、省電力モードからの復帰動作が終了していない場合は受信動作が不可なため、ファクシミリ制御部１２から着信検知コマンドを受けても、着信可コマンドをファクシミリ制御部１２に対して出力できない。この時、外部電話機４は交換機２からの呼出信号により呼出音が鳴動している。
【００７９】
本体制御部１１は、省電力モードからの復帰動作が終了して受信動作が可能となった後にファクシミリ制御部１２からの着信検知コマンドを受け取ると、受信起動し（Ｓ３５）、ファクシミリ制御部１２に対してオフフックコマンドを出力する（Ｓ３６）。この時、外部電話機４は交換機２からのＮ回目の呼出信号により呼出音が鳴動している。
【００８０】
ファクシミリ制御部１２は、オフフックコマンドを受け取った後に、ＣＭＬリレー１５をファクシミリ通信部１３の側に切り替えて電話回線との接続部をオフフックすることにより回線電流のループ状態を形成する（Ｓ３７）。そして、所定の受信動作が開始される（Ｓ３８）。この時点で、交換機２からの呼出信号が停止されることにより外部電話機４の呼出音の鳴動は停止する。このように、外部電話機切離制御装置３０を設けない場合には、ユーザの設定した着信回数を超えて外部電話機４が鳴動してしまう。
【００８１】
なお、図７から図９では、省電力モード中であること以外に、紙切れやメモリフルなどの受信不可要因が存在しないことを前提として説明した。省電力モードから復帰したとき、他の受信不可要因がある場合には、本体制御部１１は受信起動を行なわず、ファクシミリ制御部１２に対して着信可コマンドやオフフックコマンドを出力しないようになっている。
【００８２】
以上、本発明の実施の形態を図面によって説明してきたが、具体的な構成は実施の形態に示したものに限られるものではなく、本発明の要旨を逸脱しない範囲における変更や追加があっても本発明に含まれる。たとえば、実施の形態ではファクシミリ装置を例に説明したが、電話回線を通じてデータや音声を受信する機能を備えた他の種類の受信装置にも本発明を適用することができる。
【００８３】
なお、エッジ検出回路として図１０に示すような回路９０を採用してもよい。また、実施の形態では、呼出信号の正負の両波形を検知するようにしたが、いずれか一方でもかまわない。エッジ検出回路は、呼出信号の立ち上がり／立ち下がりの変化が緩やかな場合でも呼出信号の到来を早期に検知するために挿入している。特に、構内交換機が介在する場合に有効になる。
【図面の簡単な説明】
【００８４】
【図１】本発明の実施の形態に係わるファクシミリ装置を示すブロック図である。
【図２】外部電話機切離制御回路の概略構成を示すブロック図である。
【図３】電流検知部および着信検知部、外部電話機切離制御回路を示す回路図である。
【図４】図３の回路における各部の信号波形を示す波形図である。
【図５】待機時に外部電話機をオフフックしたときの各部の信号波形を示す波形図である。
【図６】第２パルス発生回路とＮＡＮＤ回路とを設けない回路において外部電話機をオフフックしたときの各部の信号波形を示す波形図である。
【図７】通常動作モードでのファクシミリ装置の動作手順を示す説明図である。
【図８】省電力モードでのファクシミリ装置の動作手順を示す説明図である。
【図９】外部電話機切離制御装置を設けない場合における省電力モードでのファクシミリ装置の動作手順を示す説明図である。
【図１０】エッジ検出回路の他の一例を示す回路図である。
【図１１】従来から使用されているファクシミリ装置の構成を示すブロック図である。
【図１２】従来から使用されているファクシミリ装置における通常の着信検知タイミングを示す説明図である。
【図１３】従来から使用されているファクシミリ装置における省電力モード中の着信検知タイミングを示す説明図である。
【符号の説明】
【００８５】
３…電話回線
４…外部電話機
１０…ファクシミリ装置
１１…本体制御部
１２…ファクシミリ制御部
１３…ファクシミリ通信部
１４…着信検知部
１４ａ…ツェナーダイオード
１４ｂ…フォトカプラ
１５…ＣＭＬリレー
１６…電流検知部
２１、２２…接続点
２３…ループ電流検知信号
２４…着信検知信号
２５…制御信号
２６…オフフック信号
３０…外部電話機切離制御装置
３１…リレースイッチ
３１ａ…リレー本体
３１ｂ…リレー駆動回路
３２…外部電話機切離制御回路
３３…切離信号
３４…エッジ検出回路
３５…第１パルス発生回路
３５ａ…第１パルス発生回路としての単安定マルチバイブレータ
３６…第２パルス発生回路
３６ａ…第２パルス発生回路としての単安定マルチバイブレータ
３７…ＮＡＮＤ回路
３８…パルス信号
３９…第２パルス信号
５１…ＯＲ回路
６１…オン期間
６２…オフ期間
９０…エッジ検出回路
【図１】
2006080851.tif 000003
【図２】
2006080851.tif 000004
【図３】
2006080851.tif 000005
【図４】
2006080851.tif 000006
【図５】
2006080851.tif 000007
【図６】
2006080851.tif 000008
【図７】
2006080851.tif 000009
【図８】
2006080851.tif 000010
【図９】
2006080851.tif 000011
【図１０】
2006080851.tif 000012
【図１１】
2006080851.tif 000013
【図１２】
2006080851.tif 000014
【図１３】
2006080851.tif 000015